(57)【要約】      （修正有）【課題】真空管を半導体ＩＣに置き換え、回路の耐圧が増し、増幅部分は引き続いて真空管を使用することから、音質も好結果が得られるＳＳＶＴハイブリッドＳＲＰＰ増幅回路を提供する。【解決手段】ＳＳＶＴハイブリッドＳＲＰＰ増幅回路は、負荷抵抗の役割を持つ真空管に置き換えて、スイッチャブル電流制御集積回路（Ｓｗｉｔｃｈａｂｌｅ  Ｃｕｒｒｅｎｔ  Ｒｅｇｕｌａｔｏｒ  Ｉｎｔｅｇｒａｔｅｄ  Ｃｉｒｃｕｉｔ）等の半導体ＩＣを使用する。トランジスタやＭＯＳ−ＦＥＴなどの単純な増幅素子の真空管への置き換えを発展させ、より高度な目的で製造される、電流制御ＩＣなどの集積回路が使用に耐えるということを発見したものである。【選択図】図３
0003230880.tif 000002
【実用新案登録請求の範囲】
【請求項１】
真空管と半導体ＩＣを組み合せたＳＲＰＰ（Ｓｈｕｎｔ  Ｒｅｇｕｌａｔｅｄ  Ｐｕｓｈ−Ｐｕｌｌ）増幅回路であるＳＳＶＴ  Ｈｙｂｒｉｄ  ＳＲＰＰ（Ｓｏｌｉｄ  Ｓｔａｔｅ／Ｖａｃｕｕｍ  Ｔｕｂｅ  Ｈｙｂｒｉｄ  ＳＲＰＰ）増幅回路
【考案の詳細な説明】
【技術分野】
【０００１】  本考案は、真空管と半導体ＩＣを組み合せたＳＲＰＰ（Ｓｈｕｎｔ  Ｒｅｇｕｌａｔｅｄ  Ｐｕｓｈ−Ｐｕｌｌ）増幅回路に関するものである。ＳＳＶＴ  Ｈｙｂｒｉｄ  ＳＲＰＰ（Ｓｏｌｉｄ  Ｓｔａｔｅ／Ｖａｃｕｕｍ  Ｔｕｂｅ  Ｈｙｂｒｉｄ  ＳＲＰＰ）増幅回路と称する。
【背景技術】
【０００２】  真空管増幅回路において、通常は抵抗一本の負荷で出力を取り出す回路が用いられてきた。そして、回路の低インピーダンス化を図る場合には、ＳＲＰＰ増幅回路が使用されてきた。
これは、通常の増幅回路に対し、能動素子を負荷抵抗として擬似的に使うことで出力インピーダンスを下げる効果を得るものである。
【先行技術文献】
【特許文献】
【０００３】
【特許文献１】
【特許文献２】
【非特許文献】
【０００４】
【非特許文献１】電圧増幅回路の設計と計算その３  （ＳＲＰＰ回路）  ｈｔｔｐ：／／ｗｗｗ．ｏｐ３１６．ｃｏｍ／ｔｕｂｅｓ／ｔｉｐｓ／ｂ２１０．ｈｔｍ
【非特許文献２】ＳＲＰＰレポートその１  ｈｔｔｐ：／／ｗｗｗ．ｏｐ３１６．ｃｏｍ／ｔｕｂｅｓ／ｔｏｙ−ｂｏｘ／ｓｒｐｐｒｅｐ１．ｈｔｍ
【非特許文献３】ＳＲＰＰレポートその２  ｈｔｔｐ：／／ｗｗｗ．ｏｐ３１６．ｃｏｍ／ｔｕｂｅｓ／ｔｏｙ−ｂｏｘ／ｓｒｐｐｒｅｐ２．ｈｔｍ
【考案の概要】
【考案が解決しようとする課題】
【０００５】  ＳＲＰＰ増幅回路は、真空管回路としては古くから使われているオーソドックスなものであり、増幅回路として実機に応用されている例も多い。
その一方で、真空管はすでに一部の国でしか生産されておらず、供給は不安定になりつつある。ＳＲＰＰ増幅回路は、単純な抵抗不可の増幅回路に対して利点も多いものの、使用真空管数が倍になることは現状況では大きな欠点である。さらに、音質上真空管が好まれるにせよ、通常の機器に求められる小型軽量化の要求に対し、真空管特有のヒーターがあるということは、電源の確保と放熱において不利である。
【課題を解決するための手段】
【０００６】  本考案は、ＳＲＰＰ増幅回路の負荷抵抗の役割を持つ真空管に置き換えて、スイッチャブル電流制御集積回路（Ｓｗｉｔｃｈａｂｌｅ  Ｃｕｒｒｅｎｔ  Ｒｅｇｕｌａｔｏｒ  Ｉｎｔｅｇｒａｔｅｄ  Ｃｉｒｃｕｉｔ）等の半導体ＩＣを使用するものである。
今回、本実用新案申請者は、従来の真空管の代替として使用される、トランジスタやＭＯＳ−ＦＥＴなどの単純な増幅素子の真空管への置き換えを発展させ、より高度な目的で製造される、電流制御ＩＣなどの集積回路までがその使用に耐えるということを発見した。
実験の結果、性能として真空管に置き換えが可能なだけでなく、回路の高電圧に対する耐圧が増し、音声増幅回路に使用した場合の増幅周波数帯も変わらなかった。また、増幅部分は引き続いて真空管を使用することから、音質的にも従来のものと変わらない好結果を確認することができた。
【考案の効果】
【０００７】  実用新案申請の回路の使用により、真空管の使用が半分に減り、大きくコストを削減することができた。また、音質の向上が認められた。
【図面の簡単な説明】
【０００８】
【図１】  従来の抵抗負荷増幅回路のモデル
【図２】  従来のＳＲＰＰ増幅回路のモデル
【図３】  本考案のＳＳＶＴ  Ｈｙｂｒｉｄ  ＳＲＰＰ増幅回路のモデル
【図４】  本考案で使用するスイッチャブル電流制御集積回路（Ｓｗｉｔｃｈａｂｌｅ  Ｃｕｒｒｅｎｔ  Ｒｅｇｕｌａｔｏｒ  Ｉｎｔｅｇｒａｔｅｄ  Ｃｉｒｃｕｉｔ）のデータシートの例。
【考案を実施するための形態】
【０００９】  本考案は、回路方式であることから、基板上で構築、もしくは手配線によるラグへの使用となり、電気機器に内蔵される。
【実施例】
【００１０】
【図５】
本回路が搭載された実機。
【図１】
0003230880.tif 000003
【図２】
0003230880.tif 000004
【図３】
0003230880.tif 000005
【図５】
0003230880.tif 000006
【図４】
0003230880.tif 000007
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
真空管と半導体ＩＣを組み合せたＳＲＰＰ（Ｓｈｕｎｔ  Ｒｅｇｕｌａｔｅｄ  Ｐｕｓｈ−Ｐｕｌｌ）増幅回路であるＳＳＶＴ  Ｈｙｂｒｉｄ  ＳＲＰＰ（Ｓｏｌｉｄ  Ｓｔａｔｅ／Ｖａｃｕｕｍ  Ｔｕｂｅ  Ｈｙｂｒｉｄ  ＳＲＰＰ）増幅回路
本回路は、ＳＲＰＰ増幅回路の負荷抵抗の役割を持つ真空管に置き換えて、スイッチャブル電流制御集積回路（Ｓｗｉｔｃｈａｂｌｅ  Ｃｕｒｒｅｎｔ  Ｒｅｇｕｌａｔｏｒ  Ｉｎｔｅｇｒａｔｅｄ  Ｃｉｒｃｕｉｔ）等の半導体ＩＣを使用するものである。
詳細は下図のとおり。
0003230880.tif 000008
【手続補正２】
【補正対象書類名】明細書
【補正対象項目名】０００８
【補正方法】変更
【補正の内容】
【０００８】
【図１】  従来の抵抗負荷増幅回路のモデル
【図２】  従来のＳＲＰＰ増幅回路のモデル
【図３】  本考案のＳＳＶＴ  Ｈｙｂｒｉｄ  ＳＲＰＰ増幅回路のモデル
【図４】  本考案で使用するスイッチャブル電流制御集積回路（Ｓｗｉｔｃｈａｂｌｅ  Ｃｕｒｒｅｎｔ  Ｒｅｇｕｌａｔｏｒ  Ｉｎｔｅｇｒａｔｅｄ  Ｃｉｒｃｕｉｔ）のデータシートの例。
【図５】  本回路が搭載された実機。
【手続補正書】
【提出日】令和2年12月1日(2020.12.1)
【手続補正１】
【補正対象書類名】実用新案登録請求の範囲
【補正対象項目名】全文
【補正方法】変更
【補正の内容】
【実用新案登録請求の範囲】
【請求項１】
ＳＲＰＰ増幅回路の負荷抵抗の役割を持つ真空管に置き換えて、スイッチャブル電流制御集積回路（Ｓｗｉｔｃｈａｂｌｅ  Ｃｕｒｒｅｎｔ  Ｒｅｇｕｌａｔｏｒ  Ｉｎｔｅｇｒａｔｅｄ  Ｃｉｒｃｕｉｔ）等の半導体ＩＣを使用した、ＳＳＶＴ  Ｈｙｂｒｉｄ  ＳＲＰＰ（Ｓｏｌｉｄ  Ｓｔａｔｅ／Ｖａｃｕｕｍ  Ｔｕｂｅ  Ｈｙｂｒｉｄ  ＳＲＰＰ）増幅回路。